(57)【特許請求の範囲】
【請求項１】
浴槽底面に設けられた排水栓をレリースを介し開閉操作し得る押ボタン式操作部を浴槽の内壁面上端部位に設置してなる排水栓装置において、前記押ボタン式操作部は、前記排水栓を開状態にするために押ボタンを押して下動させた時に、操作部本体の上端側に露出面が出現するように構成されていることを特徴とする排水栓装置。
【請求項２】
前記操作部本体の露出面の上方に、上動位置における押ボタンの最上端よりも更に上方に延出されたガイド面が形成されていることを特徴とする請求項１に記載の排水栓装置。
【請求項３】
前記露出面または前記ガイド面の上端付近の少なくとも一部は、押ボタン側から浴槽内壁側に向かって上向きにテーパーまたはアール形状に形成されていることを特徴とする請求項１または請求項２に記載の排水栓装置。
【請求項４】
前記露出面は、押ボタンの上動位置と下動位置の間の少なくとも一部が、周囲またはガイド面と異なる色に設定されていることを特徴とする請求項１または請求項２に記載の排水栓装置。
【請求項５】
前記露出面の少なくとも一部が、押ボタンの上下動作の案内機能を有していることを特徴とする請求項１に記載の排水栓装置。
【請求項６】
前記露出面は、操作部本体の上端側横幅方向両側縁に形成された側壁面であることを特徴とする請求項１に記載の排水栓装置。
【請求項７】
前記押ボタンの色と、前記操作部本体の色を異なる色に設定したことを特徴とする請求項１に記載の排水栓装置。
【発明の詳細な説明】
【０００１】
【産業上の利用分野】
この発明は、浴槽の底面に開閉可能に設けられる排水栓装置に関するものである。
【０００２】
【従来の技術及びその課題】
従来、特開平９−３２４４５１号公報に開示されているように、浴槽の底面に設けられた排水栓を、レリースを介して開閉するために、押ボタン式の操作部が浴槽の内壁面に設置されたものが存在するが、従来においては、押ボタン式操作部の押ボタンが、開位置にあるのか、閉位置にあるのか、見た目で判断しにくく、排水栓が開状態であることを知らずに浴槽内に湯を入れてしまい、湯を無駄にしてしまうことがあるという問題点があり、特に、押ボタンは洗い場側から操作することが多く、押ボタンを上方から見ることが多いが、押ボタンを上方から見るとさらに開位置か閉位置か見分けがつきにくく、また、従来では押ボタンが浴槽から離れた位置にあるため、指で押ボタンを押そうとする際に的を外しやすく操作しにくいという問題点があり、また、押ボタンの上下動操作時に操作軸が潰れやすく操作性が悪く、場合によっては操作軸の軸折れが生じ、破損しやすいという問題点があった。
【０００３】
【課題を解決するための手段】
本発明は上記従来の問題点に鑑み案出したものであって、押ボタンが開位置か閉位置かを一見して判断することができ、視認性が良好で扱いやすい排水栓装置を提供せんことを目的とし、その第１の要旨は、浴槽底面に設けられた排水栓をレリースを介し開閉操作し得る押ボタン式操作部を浴槽の内壁面上端部位に設置してなる排水栓装置において、前記押ボタン式操作部は、前記排水栓を開状態にするために押ボタンを押して下動させた時に操作部本体の上端側に露出面が出現するように構成されていることである。
また、第２の要旨は、前記操作部本体の露出面の上方に、上動位置における押ボタンの最上端よりも更に上方に延出されたガイド面が形成されていることである。
また、第３の要旨は、前記露出面または前記ガイド面の上端付近の少なくとも一部は、押ボタン側から浴槽内壁側に向かって上向きにテーパーまたはアール形状に形成されていることである。
また、第４の要旨は、前記露出面は、押ボタンの上動位置と下動位置の間の少なくとも一部が周囲またはガイド面と異なる色に設定されていることである。
また、第５の要旨は、前記露出面の少なくとも一部が、押ボタンの上下動作の案内機能を有していることである。
また、第６の要旨は、前記露出面は、操作部本体の上端側横幅方向両側縁に形成された側壁面であることである。
また、第７の要旨は、前記押ボタンの色と前記操作部本体の色を異なる色に設定したことである。
【０００４】
【実施例】
以下、本発明の実施例を図面に基づいて説明する。
図１は、浴槽に取り付けられた排水栓装置の概略構成図であり、浴槽１の底面１ａには排水栓２が設けられており、この排水栓２は、パッキン４を介在させてナット５を締め付けて固定された本体金具３に対し、上下方向に開閉できる栓蓋７が設けられており、この栓蓋７は、本体金具３内に摺動可能に縦設された支軸６に連結されており、この支軸６はレリース８を介して上下方向に操作でき、レリース８は、浴槽１の内壁面１ｂの上端側に固設された操作部本体９に連通され、操作部本体９の下端にはレリース８をガイドするレリースガイド１０が設けられ、操作部本体９内には、レリース８の先端が連結された操作軸１１が縦設されて、操作軸１１の上端に押ボタン１２が設けられたものとなっており、この押ボタン１２を押し下方側へ下動させてＯＮした時に、前記レリース８を介し排水栓２の栓蓋７が開状態となるように構成されている。
【０００５】
この操作部本体９と押ボタン１２の拡大図を図２及び図３に示すが、図２の状態は、押ボタン１２が上動位置にあるＯＦＦ状態、即ち排水栓２の閉状態時であり、また図３の状態は、押ボタン１２が下動されてＯＮされた状態、即ち排水栓２の栓蓋７が開かれた状態を示すものであり、図に示すように、操作部本体９の上端は楕円状の開口部９ａとなっており、この開口部９ａ内に、楕円状に形成された押ボタン１２が上下方向に摺動可能に設けられており、この押ボタン１２は、開口部９ａから上方へ突出された上端背部９ｂ、及び上端背部９ｂの幅方向両側縁において浴槽内側へ突出状に形成された側縁突部９ｃ，９ｃの内側で案内されて上下方向に摺動可能に嵌め込まれており、図２のＯＦＦ状態では、押ボタン１２が上方へ突出して上端背部９ｂ前面の背面Ｐａ及び側縁突部９ｃ，９ｃ内側の側壁面Ｐｂ，Ｐｂは隠蔽された状態となっているが、図３のように、押ボタン１２が下方側へ押されてＯＮ状態となった時には、この上端背部９ｂの背面Ｐａ及び側縁突部９ｃ，９ｃの内側の側壁面Ｐｂ，Ｐｂが露出するように構成されている。
【０００６】
なお、露出面である背面Ｐａ及び側壁面Ｐｂ，Ｐｂは周囲とは異なる色に着色等されており、より視認性が向上するように構成されている。
なお、上端背部９ｂの上端側は、前記背面Ｐａよりもさらに上方へ延出されて、浴槽の内壁面１ｂに向かって傾斜状のガイド面Ｇを形成しており、このガイド面の上端はテーパーＴに形成されて、このガイド面Ｇは図２のように、押ボタン１２が上動位置、即ちＯＦＦ状態にある時にも上方側から視認できるものであり、このガイド面Ｇを視認して押ボタン１２が開位置にあるのか閉位置にあるのかを洗い場側から容易に見分けることができるものとなる。
【０００７】
なお、押ボタン１２は、例えば濃いグレー色に形成されており、また、操作部本体９は白いベージュ色に形成されている。また、本例では、押ボタン１２の縦幅ａは１０〜３０mm程度の寸法となっており、また、押ボタン１２の横幅ｂは３０〜５０mm程度の寸法に設定されている。従って、押ボタン１２は、かなり大きく視認性が確保される寸法に形成されたものとなっており、操作する時に押しやすいものとなっている。しかも、浴槽の内壁面１ｂからの突出感を抑えたものとなっている。
【０００８】
また、浴槽の上面側から立った状態で見た時にも、ガイド面Ｇにより押ボタン１２が良好に視認されるものとなっており、しかも、押ボタン１２のＯＮ状態では、図３のように背面Ｐａ及び側壁面Ｐｂが露出状態となるため、押ボタン１２がＯＮ状態であるのかＯＦＦ状態であるのかを確実に判断することができるものとなり、排水栓２が開状態であることを知らずに浴槽１内に湯を入れるような過ちを侵すことがなくなる。しかも本例では、操作部本体９の背部は浴槽１の内壁面１ｂに当接状となっており、内壁面１ｂから浴槽の内側へ突出する寸法が少ないため突出感がなく、浴槽内を広く使用することができる。
【０００９】
また、ガイド面Ｇ及び上端のテーパーＴが形成されていることにより、洗い場側から押ボタン１２を操作する際に、浴槽のフランジ部１ｃ側から、テーパーＴ及びガイド面Ｇに沿って指を下方へ延ばしてゆき、良好に押ボタン１２を押圧操作することができるものとなり、押ボタン１２は側縁突部９ｃ，９ｃで左右方向もガイドされているためグラつくこともなく、開口部９ａ内で案内されて下方へ移動するため良好な操作性が得られる。また、このようにして指により押ボタン１２を下方側へ押すことができるため操作軸１１に掛かる力が少なくなり、操作軸１１が浴槽内壁面１ｂ側に倒れるのが防がれて破損しにくいものとなる。
【００１０】
なお、図４のように、更に長く上方へ延出させて広いガイド面Ｇを形成させておくと、洗い場に立ち上方から見た時の視認性がより良好なものとなり、押ボタンの開，閉状態が見分け易くなる。
【００１１】
次に、図５及び図６で示すものは第２実施例であり、第２実施例では、押ボタン１２の形状を変更させたものであり、押ボタン１２は、操作部本体９の上端側を覆うような形状に形成され、操作部本体９の上端外周側で上下動されるように構成されており、図５の状態は上動位置にあるＯＦＦ状態であり、この状態から押ボタン１２を下方側へ押圧して下動させＯＮすると、図６のように、ＯＮ状態では操作部本体９の上端側から上方へ突出している背板部９ｄの異なる色に着色等した背面Ｐが露出することとなり、使用者はこの露出した背面Ｐを見て、押ボタン１２がＯＮ状態であることを確実に判断することができるものとなる。
【００１２】
なお、本例の押ボタン１２は、縦幅寸法ａおよび横幅寸法ｂが第１実施例よりもさらに視認しやすい大径に形成されており、押しやすくかつ視認性が良好となるように設定されている。なお、操作部本体９に対し押ボタン１２の色は異なる色となっており、より視認性が良くなるように設定されている。
【００１３】
次に、図７及び図８で示すものは、前記図５及び図６で示した第２実施例の変更例であり、前記背板部９ｄの前面の背面Ｐに横長状に着色部Ｐｃを形成させたものであり、この着色部Ｐｃは周囲と異なる色に設定されており、さらに、この着色部Ｐｃよりも上方に延出してガイド面Ｇを一体形成したものであり、ガイド面Ｇの上端側をアール状に形成して、浴槽の内壁面１ｂにガイド面Ｇの上端を隙間なく当接させたものである。
また、背板部９ｄの側面を案内側面９ｅとし、この案内側面９ｅの外側に当接する案内片１２ａを、押ボタン１２の側面から浴槽の内壁面１ｂ側へ一体状に突出させたものであり、押ボタン１２が上下動する際に、案内側面９ｅに案内片１２ａが摺接し、案内されて上下方向の摺動移動が円滑に行われるものである。また、前記背面Ｐも、押ボタン１２の上下動の際の前後方向の案内機能を果たすことができるものとなっており、操作性が良好で、押ボタン１２の上下動時に、操作軸１１が浴槽の内壁面１ｂ側へ倒れるのが良好に防がれ、操作軸１１の破損が生じないように構成されている。
【００１４】
また、押ボタン１２が上動位置にあるＯＦＦ状態の場合にも、図７のように上端にガイド面Ｇが露出し、洗い場側に立って上方よりこのガイド面Ｇを見て、押ボタン１２が閉位置にあるのか開位置にあるのかを容易に見分けることができるものとなり、また、押ボタン１２を操作する際には、洗い場側からこのガイド面Ｇに手を添えて、このガイド面Ｇに沿って下方側へ指を延ばし押ボタン１２を良好に下方側へ押圧操作することができ、押ボタン１２に指を良好に掛けやすく操作が楽に行えるものとなり、また、ガイド面Ｇの上端はアール状に形成されているため指とか爪を引っ掛けることがない。
【００１５】
また、押ボタン１２が下動されてＯＮ状態となった時には、着色部Ｐｃが露出するため、この色の異なる着色部Ｐｃにより確実にＯＮ状態となっていることを視認することができるものとなる。しかも、押ボタン１２の操作時には、案内片１２ａが案内側面９ｅに摺接し、かつ背面Ｐに摺接して、左右方向及び前後方向のガタつきがなく、スムーズに押ボタン１２は下動されて操作性が良好なものとなり、操作軸１１に無理な力を掛けることなく破損を防ぐことができるものとなる。
【００１６】
【発明の効果】
本発明は、浴槽底面に設けられた排水栓をレリースを介し開閉操作し得る押ボタン式操作部を浴槽の内壁面上端部位に設置してなる排水栓装置において、前記押ボタン式操作部は、前記排水栓を開状態にするために押ボタンを押して下動させた時に操作部本体の上端側に露出面が出現するように構成されていることにより、押ボタンのＯＮ状態では、操作部本体の上端側に露出面が出現するため、この露出面を見て押ボタンがＯＮ状態、即ち排水栓が開いた状態であることを一見して判断することができ、排水栓が開状態であることを知らずに浴槽内に湯を入れて湯を無駄に流してしまうような事態を回避することができるものとなる。
【００１７】
また、前記操作部本体の露出面の上方に、上動位置における押ボタンの最上端よりも更に上方に延出されたガイド面が形成されていることにより、洗い場側に立って押ボタンを上方側から見た場合に、ガイド面により押ボタンの開閉状態の見分けがつきやすいものとなり、また、押ボタンを操作する際に、浴槽側からガイド面に沿って指を押ボタンに伸ばしやすく、指での操作が良好なものとなり、過大な荷重を加えることなく良好に押ボタンの操作が可能となる。
【００１８】
また、前記露出面または前記ガイド面の上端付近の少なくとも一部は、押ボタン側から浴槽内壁側に向かって上向きにテーパーまたはアール形状に形成されているため、押ボタンを操作する時に指とか爪を引っ掛けにくく、良好にガイド面に沿って指を押ボタンの位置まで伸ばしてゆくことができ、操作性が良好なものとなる。
【００１９】
また、前記露出面は、押ボタンの上動位置と下動位置の間の少なくとも一部が周囲またはガイド面と異なる色に設定されていることにより、押ボタンと操作部本体との色が同じ場合でも、押ボタンが開状態か閉状態かの見分けがつきやすくなる効果を有する。
【００２０】
また、前記露出面の少なくとも一部が、押ボタンの上下動作の案内機能を有していることにより、押ボタンの操作性が良好化して上下左右等にガタつくことがなく、押ボタンの操作軸が浴槽内壁側に倒れることが防がれ、操作性が向上して破損しにくくなる効果を有する。
【００２１】
また、前記露出面は、操作部本体の上端側横幅方向両側縁に形成された側壁面であることにより、押ボタンのＯＮ状態では、操作部本体の上端の側壁面が露出し、排水栓が開状態であることを一見して判断することができるものとなる。
【００２２】
また、前記押ボタンの色と操作部本体の色を異なる色に設定したことにより、押ボタンの位置が分かりやすく、視認性が良好となり、また、押ボタンのＯＮ，ＯＦＦ状態を一見して良好に判断できるものとなる。
【図面の簡単な説明】
【図１】排水栓装置の取付状態の概略断面構成図である。
【図２】第１実施例の操作部のＯＦＦ状態の斜視構成図である。
【図３】図２の状態から押ボタンをＯＮして排水栓を開けた状態の斜視構成図である。
【図４】ガイド面を更に上方に広く延出させた場合の図１に対応させた断面構成図である。
【図５】第２実施例の操作部のＯＦＦ状態の斜視構成図である。
【図６】図５の状態から押ボタンを下方へ押してＯＮさせた状態の斜視構成図である。
【図７】第２実施例の変更例を示し、ガイド面を上端に形成し、かつ押ボタンに案内片を形成したもののＯＦＦ状態の斜視構成図である。
【図８】図７の状態から押ボタンを下方へ押してＯＮさせた状態の斜視構成図である。
【符号の説明】
１  浴槽
１ａ  底面
１ｂ  内壁面
２  排水栓
７  栓蓋
８  レリース
９  操作部本体
９ａ  開口部
９ｂ  上端背部
９ｃ  側縁突部
９ｄ  背板部
９ｅ  案内側面
１２  押ボタン
１２ａ  案内片
Ｐ，Ｐａ  背面
Ｐｂ  側壁面
Ｐｃ  着色部
Ｇ  ガイド面
Ｔ  テーパー
【図１】
0003561896.tif 000002
【図２】
0003561896.tif 000003
【図３】
0003561896.tif 000004
【図４】
0003561896.tif 000005
【図５】
0003561896.tif 000006
【図６】
0003561896.tif 000007
【図７】
0003561896.tif 000008
【図８】
0003561896.tif 000009